(57)【特許請求の範囲】
【請求項１】
電池またはアダプダから電源を受けて電圧を発生する電源部、
前記電源部に連結され、前記電源部から供給された電圧を用いて放電を引起こしてオゾ
ンを生成するオゾン発生部、
前記電源部に連結され、前記電源部から供給された前記電圧を用いて超音波を発生する
超音波部、
前記電源部に連結され、前記電源部から供給された前記電圧を用いて紫外線を生成する
紫外線部、
前記電源部に連結され、前記電源部から供給された前記電圧を用いて回転力を発生する
送風モーター、
前記送風モーターに連結され、前記送風モーターの前記回転力によって一方向にだけ風
を発生し、前記オゾン発生部で生成した前記オゾンを前記風で移動させる送風機、および
前記オゾン発生部に連結され、前記風によって移動する前記オゾンを通過させる送風通
路、
を含み、
洗浄のために容器に収容された水に前記超音波部と紫外線部が漬かると、前記オゾン発
生部で発生した前記オゾンが前記送風機の風によって前記送風通路を通過して、前記容器
に収容された前記水に溶けてオゾン水が生成され、
前記オゾン水、超音波部で発生した超音波、および紫外線部で発生した前記紫外線が前
記容器に収容された洗浄対象を洗浄し、
前記送風通路と超音波部との間に防水隔壁をさらに含んでいる、携帯用洗浄機。
【請求項２】
前記電源部から供給された前記電圧を発振してオゾン発生部に伝達するオゾン発振部、
および、
前記電源部から供給された前記電圧を発振して超音波部に伝達する超音波発振部、
をさらに含んでいる、請求項１に記載の携帯用洗浄機。
【請求項３】
前記超音波部は、超音波振動子である、請求項１に記載の携帯用洗浄機。
【請求項４】
オゾン発生部、超音波部、紫外線部、送風および送風通路の外部を取り囲むケース部、
をさらに含んでいる、請求項１に記載の携帯用洗浄機。
【発明の詳細な説明】
【技術分野】
【０００１】
本発明は携帯用洗浄機に係り、より詳しくはオゾン、超音波および紫外線を用いて野菜、果物などの洗浄対象を殺菌したり残留農薬を除去したりすることができ、水中の使用が可能であり、小型化および軽量化して製作することにより、室外でも携帯可能な携帯用洗浄機に関する。
【背景技術】
【０００２】
超音波を用いる普遍的な活用例としては、洗濯乾燥器、農水産物乾燥器および製品の溶着などがあり、低出力用としては、物体感知センサー、加湿器、皮膚美容、残留農薬除去器などに活用される。超音波発生は設定によって振動周波数および出力が変わるので、用途によって振動子が変わらなければならない。
【０００３】
オゾン水は、一般的に０．２〜２ｐｐｂ以上オゾンが溶解している水をいう。オゾン水は、コロナ放電を用いる方法、高電圧印加方法および紫外線を用いる方法によって生成することができる。オゾン水は塩素殺菌の３００倍に達する殺菌効果があり、残留農薬を分解し、水中の悪臭および微細物質をとり除く効果がある。オゾン濃度をＣ、時間をｔ、移動係数をＫ、面積をａ、気体濃度をＣｇ、水中濃度をＣｗ、大気圧をＰｏ、理想気体気圧をＰ、分配係数をｍとするとき、オゾンの水に対する溶解は
ｄＣｗ／ｄｔ＝Ｋａ（ｍ（Ｐ／Ｐｏ））Ｃｇ−Ｃｗ
で表される。空気放電によるオゾンの発生は、二酸化炭素、酸化窒素および二酸化窒素が同時に生成して水に溶解して炭酸水および亜窒酸を生成することもある。
【０００４】
水酸基は、水中に直流電気、紫外線などを印加すれば水が電解する過程で現れるもので、殺菌力を持つ。水酸基は、水（Ｈ−Ｏ−Ｈ）分子が水中の電場で分離される過程で水素原子（プロトン：Ｈ＋）から一つの電子が取れることにより発生する。または、酸素分子（Ｏ２）が水中の電場で分離される過程で発生する酸素陰イオン（Ｏ−、Ｏ２−、Ｏ３−、Ｏ）のうちスーパーオキサイドアニオン（Ｓｕｐｅｒ Ｏｘｉｄｅ Ａｎｉｏｎｓ：Ｏ２−）イオンが空気中の汚染物質（主に炭化水素系）と化学的に結合して酸化反応を引起しながら発生する。水酸基（ＯＨ−）はほぼすべての汚染物質の殺菌消毒に関与し、化学的に分解してとり除くことができる一番強力な物質であり、人体に無害な物質である。水酸基は汚染物質の分解に関与した後、中間物質であるヒドロペロキシラジカル（Ｈｙｄｒｏｐｅｒｏｘｙ Ｒａｄｉｃａｌ：ＨＯ２）に変化しながら持続的に酸化分解反応を引き起こす。このような連鎖反応はほぼすべての汚染物質を非常に安全な水と二酸化炭素に還元させることにより人体に無害にする。
【０００５】
前述したように、野菜、果物および補乳瓶などの洗浄または殺菌を目的とする従来の洗浄装置は、超音波、オゾン水、水酸基、紫外線を用いるか、あるいは洗浄対象を沸騰させる方法を用いることにより、洗浄対象を洗浄または殺菌していた。
【０００６】
しかし、従来の洗浄装置は家庭用電源を用いて固定状態で使うように製作されるものであるばかりに、室外で携帯して洗浄対象を洗浄することができる洗浄道具がなかった。
【発明の概要】
【発明が解決しようとする課題】
【０００７】
本発明は、前記記述したような欠点を解決するために、野菜、果物もしくは補乳瓶などの洗浄対象の細菌または残留農薬および微細ほこりをとり除くことができる携帯用洗浄機を提供することを目的とする。
【０００８】
また、本発明は、少量化、軽量化し、かつ水中で使用可能に製作することにより、携帯が容易で室外および水中でも使うことができる携帯用洗浄機を提供することを他の目的とする。
【課題を解決するための手段】
【０００９】
前記のような従来の問題点を解決し、前記目的を達成するための本発明の携帯用洗浄機は、電池またはアダプダによって電源を供給し、電圧を発生する電源部と；前記電源部から供給された電圧を用いて放電を引起こし、これによりオゾンを生成するオゾン発生部と；水中で超音波を発生する超音波部と；紫外線ランプで紫外線を生成する紫外線部と；からなり、前記オゾン発生部、超音波部および紫外線部で発生したオゾン水、超音波および紫外線が洗浄対象を殺菌して残留農薬および微細ほこりをとり除くことを特徴とする。
【００１０】
本発明の携帯用洗浄機において、前記電源部から供給された前記電圧を発振してオゾン発生部に伝達するオゾン発振部、および前記電源部から供給された前記電圧を発振して超音波部に伝達する超音波発振部をさらに含むことができ、前記超音波部に、超音波振動子をさらに含むことができる。
【００１１】
そして、本発明において、前記電源部から供給された電圧を用いて回転力を発生する送風モーターと；前記送風モーターに連結されて風を発生する送風機と；前記オゾン発生部で発生したオゾンが移動する通路である送風通路と；をさらに含んでなり、前記送風機はバイブレーター方式または真空ポンプ方式で作動することにより、水がオゾン発生部の方向に逆流することを防止することができる。
【００１２】
また、本発明の携帯用洗浄機において、オゾン発生部、超音波部、紫外線部、送風機、および送風通路の外部を取り囲むケース部をさらに含んでなることができ、前記超音波部および紫外線部は水に漬かることができ、送風通路と超音波部の間に防水隔壁をさらに含んでなることにより、水がオゾン発生部の方向に逆流することを防止することができる。
【００１３】
そして、本発明において、前記ケース部の一側に吸気口が形成され、前記送風機は吸気口を通じて流入した空気を用いて風を発生することができる。ここで、前記ケース部の内部の水中では、オゾン発生部で生成したオゾンが水に溶けてオゾン水が生成し、水に印加された直流電流によって水酸基（ＯＨ−）が生成し、超音波部で生成した超音波によって気泡が発生することができる。この際、前記超音波部で気泡が発生するとき、局所的に高温になり、発生した気泡は微細残留物をとり除くことができる。
【発明の効果】
【００１４】
このような本発明の特徴によれば、本発明の携帯用洗浄機は、水中に漬かった洗浄対象を紫外線で殺菌することができ、超音波で微細ほこりおよび残留農薬をとり除くことができるという効果がある。
【００１５】
そして、溶解したオゾンで殺菌および重金属を酸化させ、オゾンおよび超音波によって生成する水酸基で殺菌する効果がある。
【００１６】
また、前記オゾンおよび超音波の相互作用によって、紫外線はオゾンを発生させ、超音波はオゾンの溶解度を高める役目をしてより高い殺菌作用を持つ相乗効果がある。
【図面の簡単な説明】
【００１７】
【図１】本発明による携帯用洗浄機の構成を示す図である。
【発明を実施するための形態】
【００１８】
以下、本発明の好適な実施例を添付図面に基づいて詳細に説明する。
【００１９】
図１は本発明による携帯用洗浄機の構成を示す図である。図１に示すように、本発明の携帯用洗浄機は、オゾン発生部３００、超音波部５００、紫外線部６００、送風機２００、送風通路２２０、防水隔壁４００、送風モーター２１０、およびケース部７００からなり、外部にオゾン発振部３１０、超音波発振部５１０、電源部１００を備えて携帯用洗浄機に連結して使うことができる。
【００２０】
送風機２００、オゾン発生部３００、送風通路２２０、防水隔壁４００、超音波部５００、および紫外線部６００はケース部７００の内部に収容されている。本発明は、オゾン水、超音波および紫外線を用いて殺菌作用と残留農薬除去作用をする携帯用洗浄機に関するもので、以下の明細書では、オゾン水、超音波および紫外線の順に本発明を説明する。
【００２１】
まず、電源部１００は、電池またはアダプダによって電源を供給し、電圧を発生する。電源部１００は、１２Ｖまたは２４Ｖの電圧を供給する。オゾン発生部３００は、前記電源部１００から供給された電圧を用いて放電を引き起こし、これによりオゾンを生成する。そして、オゾン発振部３１０は、前記電源部１００から供給された電圧を発振させて生成した高電圧をオゾン発生部３００に伝達する。
【００２２】
オゾン発生部３００で発生したオゾンは送風機２００で発生する風によって送風通路２２０に移動する。この際、ケース部７００の一側に形成された吸気口８００を通じて外部の空気がケース部７００の内部に流入し、送風機２００は前記吸気口８００を通じて吸入された空気を用いて風を発生させる。
【００２３】
送風機２００は、バイブレーター方式または真空ポンプ方式で構成できる。また、送風機２００の作動の際、一方向にだけ空気を移動させ、送風機２００の作動を中断する場合、空気の流れを遮断することで、送風通路２２０の方向に水が逆流することを防止する。
【００２４】
前述したように、送風機２００で発生した風によって、オゾン発生部３００で生成したオゾンが送風通路２２０に移動することになる。この際、風によってオゾンが送風通路２２０に沿って移動し、防水隔壁４００を通過して水に溶けることになる。この際、防水隔壁４００は、水がオゾン発生部３００の方向に逆流することを防止する。水に溶けたオゾンはオゾン水となって殺菌および重金属酸化の作用をする。
【００２５】
次に、超音波部５００は、図１に示すように、水中に漬かるように構成される。超音波部５００は、超音波振動子を含んでなり、超音波振動子で超音波を発生する。そして、超音波発振部５１０は、前記電源部１００から供給された電圧を発振して超音波部５００に伝達する。
【００２６】
前記超音波部５００で発生した超音波は、微細ほこり、微細残留物および残留農薬などを取り除く作用をする。
【００２７】
また、紫外線部６００は、紫外線ランプを用いて紫外線を生成する。紫外線部６００も超音波部５００と同様に水中に漬かるように構成される。電源部１００から電圧が印加されれば紫外線ランプが点灯し、紫外線が生成する。生成した紫外線は殺菌作用をし、水酸基（ＯＨ−）を発生させることもできる。
【００２８】
この際、ケース部７００内の水は、洗浄のために本発明の携帯用洗浄機を水中に漬かるように位置させる場合、水が防水隔壁４００の高さだけ満たされている。超音波部５００および紫外線部６００が水に浸るように十分な水が満たされていなければならず、必要な水位および水量などは本発明の携帯用洗浄機のサイズに応じて調整することができるもので、これに限定されない。しかし、オゾンが溶解してオゾン水になり、紫外線部５００および超音波部６００が漬かるほどの水が必要であるのは言うまでもない。
【００２９】
そして、オゾン発生部３００で生成したオゾンと超音波部５００で生成した超音波および紫外線によって水中で水酸基（ＯＨ−）が生成し、水酸基（ＯＨ−）は水に印加された直流電流によっても生成することができ、生成した水酸基は殺菌作用をする。
【００３０】
また、超音波部５００で生成した超音波によって気泡が発生し、気泡発生の際、局所的に高温になり、発生した気泡は微細残留物をとり除くことができる。超音波はオゾンが水に溶解することを促進させる作用をすることにより、上昇した殺菌効果を持つ。
【００３１】
以上説明したように、本発明の詳細な説明では本発明の好適な実施例について説明したが、本発明が属する技術分野で通常の知識を持った者であれば、本発明の範囲から逸脱しない範疇でさまざまな変形が可能であるのは言うまでもない。したがって、本発明の権利範囲は前述した実施例に限定されてはいけなく、後述する請求範囲によって決められるものとその等価物などによって決められなければならない。
【産業上の利用可能性】
【００３２】
本発明は、超音波および紫外線を用いて、野菜、果物などの洗浄対象を殺菌した残留農薬を除去したりすることができ、水中の使用が可能であり、小型化および軽量化して製作することにより、室外でも携帯可能な携帯用洗浄機に適用可能である。
【符号の説明】
【００３３】
１００    電源部
２００    送風機
２１０    送風モーター
２２０    送風通路
３００    オゾン発生部
３１０    オゾン発振部
４００    防水隔壁
５００    超音波部
５１０    超音波発振部
６００    紫外線部
７００    ケース部
８００    吸気口
【図１】
0005575863.tif 000002